(57)【要約】ランプドライバは、内蔵された２つの独立に動作するハーフブリッジを有する。１つのハーフブリッジは周波数逓降器（１）として動作し、他は交流電源（２）として動作する。電流制御及び反転が単一の段で実行され得ることを確実にすると、それによって整流時に同期を提供することができる。ランプドライバは、周波数逓降器（１）の所定状態を検出するための検出手段（１８，１５）を有しても良い。この場合には、整流は、整流の要求があり、且つ所定状態が検出された場合にのみ行われる。遅延回路（１６）は、たとえ所定状態が検出されなかったとしても、要求があった場合に常に整流が行われることを確実にする。
2008507815.tif 000002
【特許請求の範囲】
【請求項１】
内蔵された少なくとも２つの独立に動作するハーフブリッジを有するランプドライバであって：
周波数逓降器として動作して、当該ランプドライバの出力電流を決定する、前記ハーフブリッジのうちの第１のハーフブリッジ，及び
交流電源として動作して、当該ランプドライバの出力電流が交流電流であることを確実にする、前記ハーフブリッジのうちの第２のハーフブリッジ，
を有するランプドライバ。
【請求項２】
前記第１のハーフブリッジの所定状態を検出するための手段，及び
整流が要求された場合に前記検出された所定状態に応答して整流を行って、前記第１のハーフブリッジの状態と同期する整流を確実にするための手段，
を更に有する、請求項１記載のランプドライバ。
【請求項３】
前記整流を行うための手段は、更に、たとえ前記第１のハーフブリッジの前記所定状態が検出されなかったとしても、所定時間が整流要求から経過した後に整流を行うよう構成される、請求項２記載のランプドライバ。
【請求項４】
請求項１記載のランプドライバを有する照明システム。
【請求項５】
請求項１記載のランプドライバを有する表示システム。
【請求項６】
投写型表示システムである請求項５記載の表示システム。
【請求項７】
請求項５記載の表示システムを有する直視型ＬＣＤシステム。
【請求項８】
請求項１記載のランプドライバを有する照明器具。
【請求項９】
請求項１記載のランプドライバを動作させる方法であって：
前記第１のハーフブリッジの所定状態が発生しているかどうかを検出するステップ，及び
整流が要求された場合に、前記所定状態が発生していることが検出されると整流を行うステップ，
を有する方法。
【発明の詳細な説明】
【技術分野】
【０００１】
本発明は、特に投写型表示装置用のランプドライバに関する。更に具体的には、本発明は、２つの独立に動作するハーフブリッジを有し、整流の同期を提供するよう構成されたランプドライバに関する。
【背景技術】
【０００２】
従来技術のランプドライバは、通常、交流電源として動作する１つのハーフブリッジを有し、一方、電流制御は、ランプドライバの前に接続された周波数逓降器により行われる。このようなランプドライバは、例えば、米国特許５，８２８，１８７号明細書に開示される。このような従来技術のランプドライバの欠点は、周波数逓降器及び交流電源が整流時に同期していないことである。結果として、最適なオーバーシュート補償は可能ではなく、高ピーク電流が整流中にスイッチングデバイスに現れ、高い電磁干渉（ＥＭＩ）がハードスイッチングに起因して発生し、且つ／あるいは、高いスイッチング損失が整流中に発生する。
【特許文献１】米国特許５，８２８，１８７号明細書
【発明の開示】
【発明が解決しようとする課題】
【０００３】
本発明は、整流時に周波数逓降器と交流電源との間の同期を与え、最適なオーバーシュート補償を実現することが可能なランプドライバを提供することを目的とする。
【課題を解決するための手段】
【０００４】
本発明の第１の態様に従って、上記及び他の目的は、内蔵された少なくとも２つの独立に動作するハーフブリッジを有するランプドライバであって、
周波数逓降器として動作して、当該ランプドライバの出力電流を決定する、前記ハーフブリッジのうちの第１のハーフブリッジ，及び
交流電源として動作して、当該ランプドライバの出力電流が交流電流であることを確実にする、前記ハーフブリッジのうちの第２のハーフブリッジ，
を有するランプドライバを提供することによって達成される。
【０００５】
前記第１及び第２のハーフブリッジが両方とも当該ランプドライバに組み込まれるという事実は、電流制御及び反転が単一の段で実行され得ることを確実にする。それによって、周波数逓降器及び交流電源は、整流時に同期することができる。これは、最適なオーバーシュート補償、整流中にスイッチングデバイスを流れるより低いピーク電流、電磁干渉（ＥＭＩ）の低減、整流中のより低いスイッチング損失、などの効果を有するので、極めて有利である。
【０００６】
本発明のランプドライバは、前記第１のハーフブリッジの所定状態を検出するための手段と、整流が要求された場合に前記検出された所定状態に応答して整流を行って、前記第１のハーフブリッジの状態と同期する整流を確実にするための手段とを更に有することができる。
【０００７】
この実施例は、整流中の同期を更に一層改善するので、極めて有利である。
【０００８】
本発明のランプドライバを動作する１つの方法は、以下の通りである。整流が要求される場合、前記検出手段は、前記第１のハーフブリッジの前記所定状態が発生したかどうかを確認する。発生した場合には、整流が行われる。そうでない場合には、当該ランプドライバは、整流を実行する前に発生すべき前記所定状態を待つ。
【０００９】
前記「所定状態」は、周波数逓降器コイルを流れるピーク電流がその最小値又は最大値に達した時であっても良い。これは、例えば、電流センサを用いて測定されても良い。代替的に、前記「所定状態」の検出は、前記第１のハーフブリッジのスイッチングの検出であっても良い。この場合に、周波数逓降器コイルを流れる電流は、また、最大値又は最小値にありうる。あるいは、前記「所定状態」は、周波数逓降器のリップル電圧がある値、例えば最大振幅に達した時であっても良い。
【００１０】
前記整流を行うための手段は、更に、たとえ前記第１のハーフブリッジの前記所定状態が検出されなかったとしても、所定時間が整流要求から経過した後に整流を行うよう構成されても良い。
【００１１】
幾つかの場合で、前記所定状態は発生しない。これは、例えば、早期準備相（ｅａｒｌｙ  ｒｕｎ−ｕｐ  ｐｈａｓｅ）の間に周波数逓降器のスイッチングがないことに起因する場合であり得る。この場合には、たとえ要求があったとしても、整流は行われない。これは、ランプ準備（ｒｕｎ−ｕｐ）の妨げたり、あるいはランプの消灯を生じさせたりする。前出の実施例に従って、前記所定状態が検出されたか否かに関わらず、整流は、少なくとも所定時間経過後に行われる。従って、整流は、要求があった場合に常に行われうる。これは、周波数逓降器のスイッチングを再開させ、それにより、滑らかな準備（ｓｍｏｏｔｈ  ｒｕｎ−ｕｐ）を実現する。
【００１２】
本発明のランプドライバは、特に、照明システム、照明器具及び／又は表示システム、例えば投写型表示システムにおける使用に適する。本発明に従うランプドライバを有する表示システムは、有利に、直視型ＬＣＤシステムで使用され得る。しかし、当該ランプドライバは、代替的に、あるいは更に、如何なる他の適切な機器で使用されても良い。
【発明を実施するための最良の形態】
【００１３】
本発明のこれら及び他の態様について明らかとなるよう、後述される実施例を参照して説明する。
【００１４】
図１は、本発明に従うランプドライバの回路図を示す。この回路の左側は、周波数逓降器（ｄｏｗｎ−ｃｏｎｖｅｒｔｅｒ）１として動作し、この回路の右側は、交流電源（ａｌｔｅｒｎａｔｏｒ）２として動作する。
【００１５】
周波数逓降器１は、第１のコンデンサ３と、第２のコンデンサ４と、誘導コイル５と、第１の電界効果トランジスタ（ＦＥＴ）６と、第２のＦＥＴ７とを有する。周波数逓降器１のデューティーサイクルは出力電圧を決定する。この出力電圧は、コンデンサ３へ印加される電圧である。
【００１６】
交流電源２は、コンデンサ８と、誘導コイル９と、第１の電界効果トランジスタ（ＦＥＴ）１０と、第２のＦＥＴ１１とを有する。第２の交流電源ＦＥＴ１１が導通している場合に、ランプへ印加される電圧は、コンデンサ３へ印加された電圧である。他方で、第１の交流電源ＦＥＴ１０が導通している場合には、ランプ電流は方向を変え、ランプへ印加される電圧は、供給電圧からコンデンサ３へ印加された電圧を引いた電圧である。
【００１７】
通常動作では、周波数逓降器１は、望ましくは１００ｋＨｚを上回る比較的高い周波数でスイッチングしており、一方、交流電源側２は、望ましくは１ｋＨｚを下回る比較的低い周波数で整流している。
【００１８】
回路図は、電流を測定して、周波数逓降器１のスイッチングを可能にするための電流センサ１８を有する検出手段を更に有する。電流センサ１８は、例えば、ホールセンサ又は磁気抵抗電流センサであっても良い。例えばタイマ又はマイクロコントローラなどの機能部１７は、所要の整流時点を決定する。
【００１９】
ランプドライバは、以下の通りに動作する。整流が機能部１７によって要求される場合に、回路１５は、周波数逓降器１のハーフブリッジがスイッチングするか否かを確認する。この事象は、「所定状態」と表される。ハーフブリッジがスイッチングする場合には、整流が１４により行われる。
【００２０】
回路図は、遅延回路１６を更に有する。整流が要求される場合に、遅延回路１６は作動する。これは、周波数逓降器１がスイッチングしていない場合に、即ち、所定状態が発生しない場合に、ある遅延期間が経過した後にいずれにしても整流が行われる効果を有する。それによって、整流は、要求があった後、少なくとも所定時間内に行われることが確実にされ、更に、トポロジー特性に起因して、周波数逓降器１がスイッチングを再開することが確実にされる。これは、ランプの更に滑らかな準備を確実にする。
【００２１】
本発明は、好ましい実施例に関して説明されてきたが、ここに挙げられた具体的な形に限定されるわけではない。むしろ、本発明の適用範囲は、添付の特許請求の範囲によってのみ限定される。特許請求の範囲で、語「有する」は、他の要素又はステップの存在を除外しているわけではない。更に、個々の特徴が異なる請求項に含まれうるが、これらは、場合により有利に組み合わされ、異なる請求項における包含は、特徴の組み合わせが実現不可能、且つ／あるいは有利でないことを示唆するわけではない。更に、単数参照は複数個を除外しているわけではない。従って、「１つの」、「第１の」、「第２の」などの参照は、複数個を除外しているわけではない。更に、特許請求の範囲での参照符号は、適用範囲を限定するよう解釈されるべきではない。
【図面の簡単な説明】
【００２２】
【図１】本発明に従うランプドライバの回路図を示す。
【図１】
2008507815.tif 000003
【国際調査報告】
2008507815.tif 000004
2008507815.tif 000005